【手続補正書】
【提出日】平成17年9月12日(2005.9.12)
【手続補正１】
【補正対象書類名】明細書
【補正対象項目名】特許請求の範囲
【補正方法】変更
【補正の内容】
【特許請求の範囲】
【請求項１】  機台に支持させて、主スピンドルと、該主スピンドルに支持させたフレームに支持させて主スピンドルを中心に公転しつつ自転する複数本の副スピンドルとを設け、各副スピンドル上にパッケージを回転自在に支承させ、その外周を覆って周縁に軸線と平行する複数本の回転案内ロールを有する円筒状の篭を副スピンドルと一体に回転するように設け、該篭とパッケージとの間に両者の相対回転を制御するブレーキを設け、且つ該篭の外面にパッケージから引き出して前記回転案内ロールに巻掛けて篭の外周円周方向に沿わせた糸を、軸線方向に転向させて篭の前面へ誘導する綾振支点ロールを備え、更に誘導した糸を前記スピンドルの軸線に沿って前方へ転向させる転向ロールを篭の前面に設け、且つ篭の転向ロールを経た糸を合糸させる合糸ロールを主スピンドルの前端部に設け、且つ該合糸ロールの前方位置に、合糸された糸Ｙを導出させる導出ロールを前記機台に支持させて設け、前記各副スピンドルは、主スピンドルの回転中に主スピンドルと同じ回転方向に同じ回転速度で自転する回転領域を含むように、それぞれ別個の変速駆動源に連動させたことを特徴とする複合加撚給糸機。
【請求項２】  主スピンドルをタイミングベルトを介して一方の変速駆動源に連動させると共に、副スピンドル群を、主スピンドル軸上に回転自在に支持させた駆動側歯付きプーリと各副スピンドル上に設けた被駆動側歯付きプーリとの間にタイミングベルトを掛け渡し、該駆動側歯付きプーリをタイミングベルトを介して他方の変速駆動源に連動させ、両変速駆動源の回転数の選択で、各副スピンドルを、主スピンドル１の回転中に、主スピンドルと一致した回転速度で主スピンドルと同方向に自転する領域を持たせたことを特徴とする請求項１記載の複合加撚給糸機。
【手続補正２】
【補正対象書類名】明細書
【補正対象項目名】０００４
【補正方法】変更
【補正の内容】
【０００４】
【課題を解決するための手段】
本願の請求項１に記載の発明は、機台に支持させて、主スピンドルと、該主スピンドルに支持させたフレームに支持させて主スピンドルを中心に公転しつつ自転する複数本の副スピンドルとを設け、各副スピンドル上にパッケージを回転自在に支承させ、その外周を覆って周縁に軸線と平行する複数本の回転案内ロールを有する円筒状の篭を副スピンドルと一体に回転するように設け、該篭とパッケージとの間に両者の相対回転を制御するブレーキを設け、且つ該篭の外面にパッケージから引き出して前記回転案内ロールに巻掛けて篭の外周円周方向に沿わせた糸を、軸線方向に転向させて篭の前面へ誘導する綾振支点ロールを備え、更に誘導した糸を前記スピンドルの軸線に沿って前方へ転向させる転向ロールを篭の前面に設け、且つ篭の転向ロールを経た糸を合糸させる合糸ロールを主スピンドルの前端部に設け、且つ該合糸ロールの前方位置に、合糸された糸Ｙを導出させる導出ロールを前記機台に支持させて設け、前記各副スピンドルは、主スピンドルの回転中に主スピンドルと同じ回転方向に同じ回転速度で自転する回転領域を含むように、それぞれ別個の変速駆動源に連動させたことで、各変速駆動源の回転速度を選択し、各副スピンドルを、主スピンドルの回転中に主スピンドルと同じ回転方向に同じ回転速度で自転する状態を選択すれば、各パッケージから引き出される糸には撚りが掛からず、合糸ロールによって合糸された後に始めて撚りがかけられる。即ち素撚りをかけることができる。
一方、各変速駆動源の回転速度を変更し、主スピンドルの回転中に、副スピンドルを主スピンドルと異なった回転方向か、又は異なった回転速度で自転させつつ、各パッケージから糸を引き出すと、各パッケージから引き出される糸夫々に撚りが掛けられると共に、撚りがかけられた糸に、合糸ロールを経て合糸された後更に撚りが掛けられる、即ち複合撚りを選択的に掛けることができる。
【手続補正３】
【補正対象書類名】明細書
【補正対象項目名】０００５
【補正方法】変更
【補正の内容】
【０００５】
本願の請求項２に記載の発明は、主スピンドルをタイミングベルトを介して一方の変速駆動源に連動させると共に、副スピンドル群を、主スピンドル軸上に回転自在に支持させた駆動側歯付きプーリと各副スピンドル上に設けた被駆動側歯付きプーリとの間にタイミングベルトを掛け渡し、該駆動側歯付きプーリをタイミングベルトを介して他方の変速駆動源に連動させ、両変速駆動源の回転数の選択で、各副スピンドルは、主スピンドル１の回転中に、主スピンドルと一致した回転速度で主スピンドルと同方向に自転する領域を持たせたことで、両変速駆動源の回転数を選択するだけで、上述する各パッケージから引き出され合糸する前の糸に撚りを掛けないで引き出す状態と、各パッケージから引き出され合糸する前の糸に撚りを掛けて引きすこととを簡単に選択できて、前記素撚りと複合撚りとを掛けることができる。
【手続補正４】
【補正対象書類名】明細書
【補正対象項目名】００１１
【補正方法】変更
【補正の内容】
【００１１】
前記主スピンドル１並びに副スピンドル３は、それぞれ別個の変速駆動源１８、１９によって駆動させる。これを詳述すると、主スピンドル１はタイミングベルト２０を介して一方の変速駆動源１８としての変速モータに連動させると共に、副スピンドル３は、主スピンドル軸１上に回転自在に支持させた駆動側歯付きプーリ２１と、各被駆動側歯付きプーリ２２との間にタイミングベルト２３を掛け渡し、該駆動側歯付きプーリ２１をタイミングベルト２３´を介して他方の変速駆動源１９としての変速モータに連動させ、両変速モータ１８、１９の回転数を選択することで、各副スピンドル３を、主スピンドル１の回転中に主スピンドルと同じ回転方向に同じ回転速度で自転する回転領域を得られるようにした。
【手続補正５】
【補正対象書類名】明細書
【補正対象項目名】００１４
【補正方法】変更
【補正の内容】
【００１４】
次ぎに本装置による撚掛操作を説明する。
ａ．合糸した糸に素撚りのみを掛ける場合
両変速モータ１８，１９によって、主スピンドル１の回転に合わせて駆動側歯付きプーリ２１を回転させる。かくするときは、副スピンドル３は主スピンドル１の回転に合わせて回転するので、実質的に自転せずパッケージ７から引き出される糸Ｙには全長に亘って全く撚がかからず、各パッケージ７から引き出される糸Ｙは単に合糸ロール２４まで引き出され、合糸ロール２４と導出ロール２７との間で初めて一定の撚りが掛けられる。
【手続補正６】
【補正対象書類名】明細書
【補正対象項目名】００１５
【補正方法】変更
【補正の内容】
【００１５】
ｂ．複合撚りを掛ける場合
両変速モータ１８、１９によって、各副スピンドル３の駆動側歯付きプーリ２１を、主スピンドル１の回転より大きい速度で同方向に回転させる。
かくするときは、副スピンドル３が主スピンドル１の回転より早く自転し、各パッケージ７から引き出される糸Ｙには、ロール１５によって撚りが掛けられると共に、主スピンドル１の回転によって撚りが掛けられ合糸ロール２４によって合糸された糸Ｙ´に、合糸ロール２４と導出ロール２７との間で更に撚りが掛けられる。
例えば、主スピンドル１と副スピンドル３とを、共に上記条件の元に反時計方向に回転させれば、各パッケージ７から引き出される糸Ｙの夫々にＳ撚りがかけられると共に合糸ロール２４によって合糸された糸Ｙ´にもＳ撚りがかけられ、主スピンドル１と副スピンドル３とを、共に時計方向に回転させれば、各パッケージ７から引き出される糸Ｙと合糸された糸Ｙ´には共にＺ撚りが掛けられる。
又、両変速モータ１８、１９によって、副スピンドル３の駆動側歯付きプーリ２１を、主スピンドル１の回転より小さい速度、又は逆方向に回転させると、各パッケージ７から引き出される糸Ｙと合糸された糸Ｙ´とに逆方向の撚りがかかる。